(57)【要約】【課題】  Ｕリンクプラグの端子がＵリンクプラグ被装着体の装着面に設けられた差込口に誤って装着されることが防止され、Ｕリンクプラグが正しい状態で装着されるＵリンクプラグ被装着体を提供すること。【解決手段】  Ｕリンクプラグ１２の突出した端子１６−１〜１６−４が差し込まれる差込口１４−１〜１４−４の設けられた装着面１０ａを有する立体形状のＵリンクプラグ被装着体１０において、差込口１４−１、１４−２、及び差込口１４−３、１４−４の相互間の間隔Ｗ２よりも、各々の差込口１４−１〜１４−４から装着面の縁部１０ｂ、１０ｃまでの距離Ｗ１、Ｗ３を大きく設定した。【選択図】  図１
2006179297.tif 000002
【特許請求の範囲】
【請求項１】
Ｕリンクプラグの一又は複数の対をなして突出した端子が差し込まれる一又は複数の対をなす差込口の設けられた装着面を有する立体形状のＵリンクプラグ被装着体において、
前記各対の差込口の相互間の間隔よりも、各々の差込口から前記装着面の縁部までの距離を大きく設定したことを特徴とするＵリンクプラグ被装着体。
【請求項２】
前記立体形状は、略直方体形状とされ、前記装着面は設置状態における前面に設けられたことを特徴とする請求項１に記載のＵリンクプラグ被装着体。
【発明の詳細な説明】
【技術分野】
【０００１】
本発明は、回線の接続や切断を行うＵリンクプラグを装着するＵリンクプラグ被装着体に関する。
【背景技術】
【０００２】
例えば、通信回線や、プリント基板の回路の接続等においては、一又は複数の対をなす端子が設けられたいわゆるＵリンクプラグが使用される。このＵリンクプラグを使用する場合、例えば、回線側にはＵリンクプラグを装着する装着面を有するジャック（Ｕリンクプラグ被装着体）が設けられる。その装着面には一又は複数対の差込口が設けられており、この差込口にＵリンクプラグの端子を差し込んでＵリンクプラグをジャックに装着し、上記回線の接続等を行う。
【０００３】
ここで、上述した回線の規模が大きくなり、また複雑になると、適用されるジャックの数が増加し、一箇所に複数のジャックが集成したいわゆる集成ジャックが使用されるようになる。
【０００４】
図５は、この集成ジャックの構成例及びＵリンクプラグの例を示している。図示のように、集成ジャック１００は複数のジャック１０２が図示しない設置板上に集まって構成されている。そして、それぞれのジャック１０２は、Ｕリンクプラグ１１０に設けられた２対となった４本の端子１１２−１〜１１２−４が差し込まれる差込口１０４−１〜１０４−４を装着面１０５に有している。
【０００５】
ここで、上記差込口１０４への、端子１１２の差込について、１箇所でも的確な差込が行われていないと、目的とする回線の接続状態が得られない。従って、接続する回線が大規模になり、また複雑になるほど、ジャック１０２等のＵリンクプラグ被装着体への装着ミス、すなわち誤装着がないようにＵリンクプラグ１１０を確実に装着することが重要になる。
【０００６】
図６（ａ）、（ｂ）は、Ｕリンクプラグ１１０のジャック１０２への装着状態を示した説明図である。図６（ａ）は、Ｕリンクプラグ１１０の正常な装着状態を示しており、図６（ｂ）はＵリンクプラグ１１０が誤装着された状態を示している。
【０００７】
図６（ａ）では、ジャック１０２の差込口１０４−１〜１０４−４のそれぞれにＵリンクプラグ１１０の端子１１２−１〜１１２−４が差し込まれている。これに対して、図６（ｂ）では、端子１１２−１、１１２−３が差込口１０４−２、１０４−４に位置ずれして差し込まれ、端子１１２−２、１１２−４がジャック１０２の外側に出た状態となっている。このように、２対の端子１１２−１〜１１２−４の一方だけが、２対の差込口１０４−１〜１０４−４の一方に位置ずれして誤装着が生じている。
【０００８】
なお、図６（ｂ）では、端子の横方向へのずれを示したが、縦方向へのずれによる誤装着も同様に生じるおそれがある。
【０００９】
特許文献１には、Ｕリンクプラグ（４）を挿入するＵリンクソケット（１）に関する従来技術が開示されている。同文献に開示されたＵリンクソケット（１）は、複数のＵリンクプラグ挿入面を有しており、例えば、Ｕリンクプラグ挿入面を引き抜き難い位置と引き抜き易い位置に配置するようにしている。これにより、回路接続を切り放すＵリンクプラグ（４）を引き抜きにくくすることができ、また試験測定時には測定コード（５）の接続操作を行い易くするものである。
【００１０】
【特許文献１】実開平５−６６８８８号公報
【発明の開示】
【発明が解決しようとする課題】
【００１１】
特許文献１に開示された技術では、Ｕリンクプラグ（４）や測定コード（５）の着脱の非容易性を調整し、使用目的に応じたＵリンクソケット（１）を構成できる。しかし、Ｕリンクプラグ等のＵリンクプラグ被装着体への装着ミス、例えば図６（ｂ）に例示したような位置ずれした装着を防止し得るものではない。従って、特許文献１に開示された技術を、例えば上述した集成ジャック等に適用しても、ジャック等にＵリンクプラグが位置ずれして装着され、回線の目的とする接続状態が得られない場合がある。
【００１２】
本発明は、Ｕリンクプラグの端子がＵリンクプラグ被装着体の装着面に設けられた差込口に誤って装着されることが防止され、Ｕリンクプラグが正しい状態で装着されるＵリンクプラグ被装着体を提供することを目的としてなされたものである。
【課題を解決するための手段】
【００１３】
請求項１に記載のＵリンクプラグ被装着体は、Ｕリンクプラグの一又は複数の対をなして突出した端子が差し込まれる一又は複数の対をなす差込口の設けられた装着面を有する立体形状のＵリンクプラグ被装着体において、各対の差込口の相互間の間隔よりも、各々の差込口から前記装着面の縁部までの距離を大きく設定したことを特徴とする。
【００１４】
これにより、一部の端子だけを、差込口の一部に位置ずれした状態で差し込もうとしても、他方の端子が装着面に接触する状態になる。従って、一部の端子だけを差込口の一部に位置ずれして差し込むという、Ｕリンクプラグの誤装着が防止される。そして、Ｕリンクプラグ被装着体を一箇所に集成させ、種々の接続を行うような回線の接続が複雑なものになる場合であっても、目的とする回線の接続状態を確実に得ることができる。
【００１５】
請求項２に記載のＵリンクプラグ被装着体は、請求項１に記載のＵリンクプラグ被装着体であって、立体形状は、略直方体形状とされ、装着面は設置状態における前面に設けられたことを特徴とする。
【００１６】
本請求項にかかるＵリンクプラグ被装着体は、請求項１のＵリンクプラグ被装着体の一実施態様に相当する構成であり、請求項１の発明ではＵリンクプラグの装着面がどの部分に形成されるかについては限定されていない。本請求項のＵリンクプラグ被装着体は、装着面を前面に設け、前面においてＵリンクプラグが位置ずれして差し込まれるという状態を防止するものである。この様に、装着面が前面に形成される場合は、その全周縁部にわたって上述の誤った装着が発生する可能性がある。従って、このような前面に装着部を設ける形式の場合、特に本発明の作用が効果的なものとなる。
【発明の効果】
【００１７】
本発明に係るＵリンクプラグ被装着体によれば、Ｕリンクプラグが位置ずれして装着されることが防止され、常に正しい状態で装着されることが可能となる。
【発明を実施するための最良の形態】
【００１８】
本発明の実施の形態について図面に基づいて説明する。図１は、本発明にかかるＵリンクプラグ被装着体の構成を説明した説明図である。本実施の形態では、Ｕリンクプラグ被装着体１０は略長方体形状を有しており、設置部１５に設置された状態になっている。ここで、設置部１５はＵリンクプラグ被装着体１０を固定すると共に、図示しない回線とＵリンクプラグ被装着体１０との接続を行うものである。
【００１９】
本実施の形態におけるＵリンクプラグ被装着体１０では、設置部１５と略平行する前面１０ａが、Ｕリンクプラグ１２を装着する装着面となっている。そして前面１０ａに、Ｕリンクプラグ１２の端子１６−１〜１６−４を差し込む差込口１４−１〜１４−４が２対となって設けられている。この差込口１４−１〜１４−４にＵリンクプラグ１２の端子１６−１〜１６−４を差し込みＵリンクプラグ１２の装着を行うものである。なお、端子１６−１〜１６−４は略板状の形状であり、端子１６−１、１６−２、及び端子１６−３、１６−４が互いに略平行してＵリンクプラグ１２に設けられている。また、端子１６−１、１６−３及び端子１６−２、１６−４が同図の縦方向に並んで設けられている。
【００２０】
本実施の形態のＵリンクプラグ被装着体１０の特徴的事項は、上記差込口１４−１〜１４−４のそれぞれの位置から、装着面すなわち前面１０ａの縁部までの距離が、差込口１４−１、１４−２及び差込口１４−３、１４−４相互間の距離よりも大きく設定されていることである。すなわち、Ｕリンクプラグ１２の端子１６−１と１６−２、端子１６−３、１６−４との間の距離よりも大きく設定されているものである。
【００２１】
例えば、図示のように、差込口１４−１、１４−２から、差込口１４−１、１４−２の並び方向に位置する前面１０ａの縁部１０ｂ、１０ｃまでの距離Ｗ１、Ｗ３が、差込口１４−１、１４−２の相互間の間隔Ｗ２よりも広く設定されている。なお、本実施の形態では、差込口１４−３、１４−４から、差込口１４−３、１４−４の並び方向に位置する前面１０ａの縁部１０ｂ、１０ｃまでの距離も距離Ｗ１、Ｗ３に設定されている。
【００２２】
また、差込口１４−１、１４−３から、差込口１４−１、１４−３の並び方向に位置する前面１０ａの縁部１０ｄ、１０ｅまでの距離Ｙ１、Ｙ３が、差込口１４−１、１４−３の相互間の間隔Ｙ２よりも広く設定されている。
【００２３】
図２は、図１に示したＵリンクプラグ被装着体１０の作用を説明した説明図であり、同図にはＵリンクプラグ被装着体１０とＵリンクプラグ１２が示されている。なお、同図は、図１のＵリンクプラグ被装着体１０とＵリンクプラグ１２を図１の上側から見た図である。Ｕリンクプラグ１２のＵリンクプラグ被装着体１０への装着は、差込口１４−１〜１４−４に端子１６−１〜１６−４をそれぞれ差し込むことにより行われ、これにより正しい装着状態となる。ここで、誤って差込口１４−１、１４−３に端子１６−２、１６−４を位置ずれして差し込もうとする場合がある。
【００２４】
しかし、幅Ｗ１が幅Ｗ２より大きく設定されているので、端子１６−１、１６−３の先端が、縁部１０ｂと差込口１４−１、１４−３との間の前面１０ａに衝突して、Ｕリンクプラグ１２をＵリンクプラグ被装着体１０に装着することができない。すなわち、Ｕリンクプラグ１２がＵリンクプラグ被装着体１０に位置ずれして誤った状態で装着することが防止される。
【００２５】
同様に、差込口１４−１、１４−３の並び方向にＵリンクプラグ１２を位置ずれした状態で差し込もうとしても、幅Ｙ１、Ｙ３が幅Ｙ２よりも広く設定されているので、位置ずれして誤った状態で装着することが防止される。
【００２６】
上記のようにＵリンクプラグ１２の誤装着が防止されるので、回線の目的とする接続状態を確実に得る上での信頼性が高まる。特に、このＵリンクプラグ被装着体１０が一箇所に複数集成されているような場合、全てのＵリンクプラグ被装着体１０での誤った差込の発生が確実に防止される。
【００２７】
図３（ａ）、（ｂ）は、本発明にかかるＵリンクプラグ被装着体の他の実施の形態を説明した説明図である。図３（ａ）は、Ｕリンクプラグ被装着体の装着面を正面からみた説明図、図３（ｂ）は、Ｕリンクプラグ被装着体の装着面を側面にみた説明図である。なお、図１、２と同様の要素には同一の符号を付しその説明を省略する。本実施の形態において、Ｕリンクプラグ１２は、図１、２で示したＵリンクプラグ１２と同様の構成を有している。また、Ｕリンクプラグ被装着体１８は略長方体形状を有しており、同図では、設置部１５に取り付けられた状態になっている。
【００２８】
そして、図３（ａ）に示すように、差込口２０−１、２０−２及び差込口２０−３、２０−４は互いに略平行して設けられており、差込口２０−１、２０−３及び差込口２０−２、２０−４が略直線状に設けられている。そして、この差込口２０−１〜２０−４は設置部１５と前面１８ａに対して略直交する側面１８ｂに設けられており、側面１８ｂが装着面となっている。また、差込口２０−１、２０−２及び差込口２０−３、２０−４の並び方向が前面１８ａに略直交する構成になっている。
【００２９】
本実施の形態のＵリンクプラグ被装着体１８の特徴的な事項は、前面１８ａに近い側の差込口２０−１と、差込口２０−１の側方に位置する側面１８ｂの縁部１８ｃとの間隔Ｗ４が差込口２０−１、２０−２の相互間の間隔Ｗ２よりも広く設けられていることである。なお、差込口２０−３の側方に位置する側面１８ｂの縁部１８ｃとの間隔も間隔Ｗ４に設定されている。そして、差込口２０−３、２０−４の相互間の間隔も間隔Ｗ２に設定されている。
【００３０】
また、差込口２０−１、２０−３の並び方向について、側面１８ｂの縁部１８ｅ、１８ｆと差込口２０−１、２０−３との間隔Ｙ４、Ｙ５が差込口２０−１、２０−３相互間の間隔Ｙ２よりも広く取られている。ここで、側面１８ｂの縁部１８ｅ、１８ｆと差込口２０−２、２０−４との間隔Ｙ４、Ｙ５、差込口２０−２、２０−４相互間の間隔Ｙ２も同様に設定されている。
【００３１】
この構成により、例えば誤って差込口２０−１に端子２２−２を図３（ｂ）の縦方向に位置ずれした状態で差し込もうとしても、端子２２−１の先端が縁部１８ｃと差込口２０−１の間の側面１８ｂに当接する。
【００３２】
従って、Ｕリンクプラグ１２をＵリンクプラグ被装着体１８に位置ずれした状態で装着することができない。このように、Ｕリンクプラグ１２がＵリンクプラグ被装着体１８に、位置ずれした状態で誤って装着することが防止される。そして、Ｕリンクプラグ１２の誤装着が防止されるので、回線の目的とする接続状態を確実に得ることができる。
【００３３】
また、差込口２０−１、２０−３の並び方向にＵリンクプラグ１２を位置ずれして差し込もうとしても、上記同様、位置ずれした状態で誤って装着することが防止される。
【００３４】
なお、本実施の形態では、側面１８ｂの縁部１８ｃに対向する部位の縁部１８ｄが存在する側が設置部１５と接触した状態になっている。従って、Ｕリンクプラグ１２が差込口２０−２側に位置ずれして差し込まれる場合については考慮する必要はない。
【００３５】
図４は、本発明にかかるＵリンクプラグ被装着体の更に他の実施の形態を説明した説明図である。本実施の形態にかかるＵリンクプラグ被装着体２４は、図示しない設置部に略平行する前面２４ａが装着面となっており、この装着面において、破線で囲まれた部位が差込口２８−１〜２８−４の一組となった状態で、図の縦方向と横方向に行列状に並び、差込口２８−１〜２８−４の１２組が升目状に設けられている。
【００３６】
このＵリンクプラグ被装着体２４は、同図の左右端に位置する差込口２８−１、２８−２、及び差込口２８−３、２８−４から装着面の縁部２４ｂ、２４ｃまでの距離Ｗ５、Ｗ６が差込口２８−１、２８−３及び差込口２８−２、２８−４の相互間の間隔Ｗ２よりも広く設定されている。この構成により、縁部２４ｂ、２４ｃ付近において図示しないＵリンクプラグが図の左右方向に位置ずれした状態で誤装着されることが防止される。
【００３７】
更に、上述した破線で囲まれた一組の差込口２８−１〜２８−４の内、差込口２８−１、２８−２と、同図においてその左側に設けられた他の一組の差込口２８−１〜２８−４の内、差込口２８−３、２８−４との間隔Ｗ７が間隔Ｗ２と異なる間隔に設けられている。例えば、間隔Ｗ７が間隔Ｗ２よりも小さく設けられている。これにより、一組の差込口２８−１〜２８−４と他の一組の差込口２８−１〜２８−４にまたがった状態で、Ｕリンクプラグが図の左右方向に位置ずれして装着されることが防止される。
【００３８】
また、同図の上下端に位置する差込口２８−１、２８−３、及び差込口２８−２、２８−４から装着面の縁部２４ｅ、２４ｄまでの距離Ｙ６、Ｙ７が差込口２８−１、２８−２及び差込口２８−３、２８−４の相互間の間隔Ｙ２よりも広く設定されている。この構成により、縁部２４ｅ、２４ｄ付近において図示しないＵリンクプラグが図の上下方向に位置ずれした状態で誤装着されることが防止される。
【００３９】
更に、上述した破線で囲まれた一組の差込口２８−１〜２８−４の内、差込口２８−２、２８−４と、同図においてその下側に設けられた他の一組の差込口２８−１〜２８−４の内、差込口２８−１、２８−３との間隔Ｙ８が間隔Ｙ２と異なる間隔に設けられている。例えば、間隔Ｙ８が間隔Ｙ２よりも大きく設けられている。これにより、一組の差込口２８−１〜２８−４と他の一組の差込口２８−１〜２８−４にまたがった状態で、Ｕリンクプラグが図の上下方向に位置ずれして装着されることが防止される。
【００４０】
本発明は、上述の実施の形態に限定されるものではなく、本発明の要旨の範囲内で種々の変更が可能である。例えば、図１、２に示したＵリンクプラグ被装着体１０は略直方体形状としたが、例えば略円柱形状であっても良い。この場合、それぞれの差込口から装着面の縁部までの距離が、差込口相互間の距離よりも広く設定された構成になる。
【図面の簡単な説明】
【００４１】
【図１】本発明にかかるＵリンクプラグ被装着体の構成を説明した説明図である。
【図２】図１に示したＵリンクプラグ被装着体の作用を説明した説明図である。
【図３】本発明にかかるＵリンクプラグ被装着体の他の実施の形態を説明した説明図である。図３（ａ）は、Ｕリンクプラグ被装着体の装着面を正面からみた説明図、図３（ｂ）は、Ｕリンクプラグ被装着体の装着面を側面にみた説明図である。
【図４】本発明にかかるＵリンクプラグ被装着体の更に他の実施の形態を説明した説明図である。
【図５】集成ジャックの構成を例示して説明した説明図である。
【図６】Ｕリンクプラグのジャックへの装着状態を示した説明図である。図６（ａ）は、Ｕリンクプラグの正常な装着状態を示しており、図６（ｂ）はＵリンクプラグが誤装着された状態を示している。
【符号の説明】
【００４２】
１０、１８、２４  Ｕリンクプラグ被装着体
１０ａ、１８ａ、２４ａ  前面
１０ｂ、１０ｃ、１０ｄ、１０ｅ、１８ｃ、１８ｄ、１８ｅ，１８ｆ、２４ｂ、２４ｃ、２４ｄ、２４ｅ  縁部
１２  Ｕリンクプラグ
１４−１、１４−２、１４−３、１４−４  差込口
１６−１、１６−２、１６−３、１６−４  端子
１８ｂ  側面
２０−１、２０−２、２０−３、２０−４  差込口
２２−１、２２−２  端子
２８−１、２８−２、２８−３、２８−４  差込口
【図１】
2006179297.tif 000003
【図２】
2006179297.tif 000004
【図３】
2006179297.tif 000005
【図４】
2006179297.tif 000006
【図５】
2006179297.tif 000007
【図６】
2006179297.tif 000008